【手続補正書】
【提出日】平成27年3月11日(2015.3.11)
【手続補正１】
【補正対象書類名】特許請求の範囲
【補正対象項目名】全文
【補正方法】変更
【補正の内容】
【特許請求の範囲】
【請求項１】
端末装置と通信する基地局装置であって、
拡張物理下りリンク制御チャネルを送信する送信部を備え、
前記拡張物理下りリンク制御チャネルは、１つ以上の物理リソースブロックペアにおける１つ以上の拡張制御チャネルエレメントを用いて送信され、
前記拡張制御チャネルエレメントは、複数の拡張リソースエレメントグループから構成され、
前記物理リソースブロックペアにおいて、復調用参照信号が配置されるリソースエレメントを除いたすべてのリソースエレメントは番号が付与され、前記拡張リソースエレメントグループは、同じ番号が付与されたリソースエレメントにより構成され、
前記拡張物理下りリンク制御チャネルは、局所送信または分散送信を用いることができ、
前記局所送信のマッピングにおける前記拡張制御チャネルエレメントは、１つの物理リソースブロックペアにおける前記拡張リソースエレメントグループに対応し、前記分散送信のマッピングにおける前記拡張制御チャネルエレメントは、複数の物理リソースブロックペアにおける前記拡張リソースエレメントグループに対応する
ことを特徴とする基地局装置。
【請求項２】
前記リソースエレメントに付与された番号は、前記分散送信および前記局所送信で共通に用いられることを特徴とする請求項１に記載の基地局装置。
【請求項３】
前記拡張リソースエレメントグループにおけるリソースエレメントの構成は、前記分散送信および前記局所送信に共通であることを特徴とする請求項１に記載の基地局装置。
【請求項４】
前記リソースブロックペアにおいて、１６個の前記拡張リソースエレメントグループが構成されることを特徴とする請求項１に記載の基地局装置。
【請求項５】
基地局装置と通信する端末装置であって、
拡張物理下りリンク制御チャネルをモニタする受信部を備え、
前記拡張物理下りリンク制御チャネルは、１つ以上の物理リソースブロックペアにおける１つ以上の拡張制御チャネルエレメントを用いて送信され、
前記拡張制御チャネルエレメントは、複数の拡張リソースエレメントグループから構成され、
前記物理リソースブロックペアにおいて、復調用参照信号が配置されるリソースエレメントを除いたすべてのリソースエレメントは番号が付与され、前記拡張リソースエレメントグループは、同じ番号が付与されたリソースエレメントにより構成され、
前記拡張物理下りリンク制御チャネルは、局所送信または分散送信を用いることができ、
前記局所送信のマッピングにおける前記拡張制御チャネルエレメントは、１つの物理リソースブロックペアにおける前記拡張リソースエレメントグループに対応し、前記分散送信のマッピングにおける前記拡張制御チャネルエレメントは、複数の物理リソースブロックペアにおける前記拡張リソースエレメントグループに対応する
ことを特徴とする端末装置。
【請求項６】
前記リソースエレメントに付与された番号は、前記分散送信および前記局所送信で共通に用いられることを特徴とする請求項５に記載の端末装置。
【請求項７】
前記拡張リソースエレメントグループにおけるリソースエレメントの構成は、前記分散送信および前記局所送信に共通であることを特徴とする請求項５に記載の端末装置。
【請求項８】
前記リソースブロックペアにおいて、１６個の前記拡張リソースエレメントグループが構成されることを特徴とする請求項５に記載の端末装置。
【請求項９】
端末装置と通信する基地局装置における通信方法であって、
拡張物理下りリンク制御チャネルを送信するステップを含み、
前記拡張物理下りリンク制御チャネルは、１つ以上の物理リソースブロックペアにおける１つ以上の拡張制御チャネルエレメントを用いて送信され、
前記拡張制御チャネルエレメントは、複数の拡張リソースエレメントグループから構成され、
前記物理リソースブロックペアにおいて、復調用参照信号が配置されるリソースエレメントを除いたすべてのリソースエレメントは番号が付与され、前記拡張リソースエレメントグループは、同じ番号が付与されたリソースエレメントにより構成され、
前記拡張物理下りリンク制御チャネルは、局所送信または分散送信を用いることができ、
前記局所送信のマッピングにおける前記拡張制御チャネルエレメントは、１つの物理リソースブロックペアにおける前記拡張リソースエレメントグループに対応し、前記分散送信のマッピングにおける前記拡張制御チャネルエレメントは、複数の物理リソースブロックペアにおける前記拡張リソースエレメントグループに対応する
ことを特徴とする通信方法。
【請求項１０】
前記リソースエレメントに付与された番号は、前記分散送信および前記局所送信で共通に用いられることを特徴とする請求項９に記載の通信方法。
【請求項１１】
前記拡張リソースエレメントグループにおけるリソースエレメントの構成は、前記分散送信および前記局所送信に共通であることを特徴とする請求項９に記載の通信方法。
【請求項１２】
前記リソースブロックペアにおいて、１６個の前記拡張リソースエレメントグループが構成されることを特徴とする請求項９に記載の通信方法。
【請求項１３】
基地局装置と通信する端末装置における通信方法であって、
拡張物理下りリンク制御チャネルをモニタするステップを含み、
前記拡張物理下りリンク制御チャネルは、１つ以上の物理リソースブロックペアにおける１つ以上の拡張制御チャネルエレメントを用いて送信され、
前記拡張制御チャネルエレメントは、複数の拡張リソースエレメントグループから構成され、
前記物理リソースブロックペアにおいて、復調用参照信号が配置されるリソースエレメントを除いたすべてのリソースエレメントは番号が付与され、前記拡張リソースエレメントグループは、同じ番号が付与されたリソースエレメントにより構成され、
前記拡張物理下りリンク制御チャネルは、局所送信または分散送信を用いることができ、
前記局所送信のマッピングにおける前記拡張制御チャネルエレメントは、１つの物理リソースブロックペアにおける前記拡張リソースエレメントグループに対応し、前記分散送信のマッピングにおける前記拡張制御チャネルエレメントは、複数の物理リソースブロックペアにおける前記拡張リソースエレメントグループに対応する
ことを特徴とする通信方法。
【請求項１４】
前記リソースエレメントに付与された番号は、前記分散送信および前記局所送信で共通に用いられることを特徴とする請求項１３に記載の通信方法。
【請求項１５】
前記拡張リソースエレメントグループにおけるリソースエレメントの構成は、前記分散送信および前記局所送信に共通であることを特徴とする請求項１３に記載の通信方法。
【請求項１６】
前記リソースブロックペアにおいて、１６個の前記拡張リソースエレメントグループが構成されることを特徴とする請求項１３に記載の通信方法。
【請求項１７】
端末装置と通信する基地局装置に実装される集積回路であって、
拡張物理下りリンク制御チャネルを送信する送信部を備え、
前記拡張物理下りリンク制御チャネルは、１つ以上の物理リソースブロックペアにおける１つ以上の拡張制御チャネルエレメントを用いて送信され、
前記拡張制御チャネルエレメントは、複数の拡張リソースエレメントグループから構成され、
前記物理リソースブロックペアにおいて、復調用参照信号が配置されるリソースエレメントを除いたすべてのリソースエレメントは番号が付与され、前記拡張リソースエレメントグループは、同じ番号が付与されたリソースエレメントにより構成され、
前記拡張物理下りリンク制御チャネルは、局所送信または分散送信を用いることができ、
前記局所送信のマッピングにおける前記拡張制御チャネルエレメントは、１つの物理リソースブロックペアにおける前記拡張リソースエレメントグループに対応し、前記分散送信のマッピングにおける前記拡張制御チャネルエレメントは、複数の物理リソースブロックペアにおける前記拡張リソースエレメントグループに対応する
ことを特徴とする集積回路。
【請求項１８】
基地局装置と通信する端末装置に実装される集積回路であって、
拡張物理下りリンク制御チャネルをモニタする受信部を備え、
前記拡張物理下りリンク制御チャネルは、１つ以上の物理リソースブロックペアにおける１つ以上の拡張制御チャネルエレメントを用いて送信され、
前記拡張制御チャネルエレメントは、複数の拡張リソースエレメントグループから構成され、
前記物理リソースブロックペアにおいて、復調用参照信号が配置されるリソースエレメントを除いたすべてのリソースエレメントは番号が付与され、前記拡張リソースエレメントグループは、同じ番号が付与されたリソースエレメントにより構成され、
前記拡張物理下りリンク制御チャネルは、局所送信または分散送信を用いることができ、
前記局所送信のマッピングにおける前記拡張制御チャネルエレメントは、１つの物理リソースブロックペアにおける前記拡張リソースエレメントグループに対応し、前記分散送信のマッピングにおける前記拡張制御チャネルエレメントは、複数の物理リソースブロックペアにおける前記拡張リソースエレメントグループに対応する
ことを特徴とする集積回路。
【手続補正２】
【補正対象書類名】明細書
【補正対象項目名】発明の名称
【補正方法】変更
【補正の内容】
【発明の名称】基地局装置、端末装置、通信方法および集積回路
【手続補正３】
【補正対象書類名】明細書
【補正対象項目名】０００１
【補正方法】変更
【補正の内容】
【０００１】
本発明は、基地局装置、端末装置、通信方法および集積回路に関する。
【手続補正４】
【補正対象書類名】明細書
【補正対象項目名】００１１
【補正方法】変更
【補正の内容】
【００１１】
本発明は、上記問題を鑑みてなされたものであり、その目的は、基地局と端末が通信する通信システムにおいて、基地局が端末に対する制御情報を効率的に通知することができる基地局装置、端末装置、通信方法および集積回路を提供することにある。